(57)【要約】【課題】本発明は短時間で分り易いルート地図や目的地の詳細な地図或いは必要情報を有料で手に入れることが出来る案内地図に於ける目的地の抽出提示方法を提供することを目的とする。【解決手段】イ）コインなどでコンピューターの電源を入力する電源入力工程と、ロ）目的地の名称，住所，電話番号などの識別子を入力する入力工程と、ハ）  目的地がマーキングされ、目的地までの最適ルートが線で表示された地図を画面に抽出して表示するルート地図抽出工程と、ニ）目的地周辺の詳細な地図及び必要情報を画面に表示する周辺地図抽出工程と、ホ）プリントアウト工程とから少なくとも成す案内地図に於ける目的地の抽出提示方法とする。【選択図】        図１
2004178138.tif 000002
【特許請求の範囲】
【請求項１】
イ）コイン或いはカードなどにより、コンピューターの電源を入力する電源入力工程。
ロ）目的地の識別子の入力工程。
ハ）目的地までの地図を画面に抽出して表示するルート地図抽出工程。
ニ）目的地周辺の詳細な地図及び必要情報を画面に表示する周辺地図抽出工程。
ホ）プリントアウト工程。
少なくとも上記工程から成ることを特徴とする案内地図に於ける目的地の抽出提示方法。
【請求項２】
前記目的地の識別子が、目的地の名称，目的地の住所，目的地の電話番号，桜や仏像或いは神社などの検索用の観光案内語句等である請求項１記載の案内地図に於ける目的地の抽出提示方法。
【請求項３】
前記ハ）ルート地図抽出工程によって抽出表示した地図には、目的地がマーキングされ、且つ現在位置から目的地までの最適ルートが線で表示される請求項１記載の案内地図に於ける目的地の抽出提示方法。
【請求項４】
前記ハ）ルート地図抽出工程によって抽出表示した地図の画面には、車用か歩行用を選択するためのチェックボックスが表示される請求項１又は３記載の案内地図に於ける目的地の抽出提示方法。
【請求項５】
前記ハ）ルート地図抽出工程によって抽出表示した目的地をリンクさせると、その目的地を中心として拡大する周辺地図が得られる請求項１記載の案内地図に於ける目的地の抽出提示方法。
【請求項６】
前記ニ）周辺地図抽出工程によって抽出表示された周辺地図には、その目的地が遊園地や施設などであれば、その開館時間や料金或いは駐車場等の情報を画面の適宜箇所に表示する請求項１記載の案内地図に於ける目的地の抽出提示方法。
【請求項７】
前記ハ）ルート地図抽出工程及びニ）周辺地図抽出工程によって抽出表示する地図には、コンビニエンスストア，ガソリンスタンド，ホテルなどの全国チェーン化された加盟店が表示される請求項１、３、４、５又は６記載の案内地図に於ける目的地の抽出提示方法。
【請求項８】
前記コンピューターの使用時間に制限を設け、その所定時間の制限が５分或いは１０分である請求項１記載の案内地図に於ける目的地の抽出提示方法。
【請求項９】
前記イ）電源入力工程に於いて、自由にＯＮ，ＯＦＦの操作が行えるものと成し、前記ホ）プリントアウト工程に於いて、用紙販売機を並設させ、コイン或いはカードなどにより用紙を手に入れてからプリントアウトが行われる請求項１記載の案内地図に於ける目的地の抽出提示方法。
【発明の詳細な説明】
【０００１】
【発明の属する技術分野】
本発明はコンビニエンスストア，ガソリンスタンド，ホテル，商店などに予め装置を設置させ、その装置によって目的地までの道路案内や居住案内等の地図及び情報サービスが簡単に且つ確実に分かり易くなるための案内地図に於ける目的地の抽出提示方法に関する。
【０００２】
【従来の技術】
一般にコンビニエンスストア，ガソリンスタンド，ホテル，商店などに於いて、客や通行人に道を聞かれることが多くある。この時、案内地図などがあれば、それに基づいて説明したり、配布用の地図があればその人に渡すこともある。またメモ紙に目的地までの道を記入し、それを渡したり、時には必要な箇所の地図をコピーして渡すこともあった。
【０００３】
【発明が解決しようとする課題】
しかしながら前記案内地図や配布用の地図は有名な場所は網羅されているが、道路事情やその周辺或いは案内地図から外れた場所の問合せには対応出来ないものであった。またメモ紙に目的地までの道を記入した地図は、大まかなものであり、且つ記入者の先入観や勘違いなどが入り易いので、その地図を渡された人は目的地まで不安であったり、間違えたりする場合が多くあった。この時、間違って書かれた地図を渡してしまうと、店舗の信頼にも悪影響を及ぼす結果となっていた。更にコピーして必要な箇所の地図を渡した場合、そのコピーが住宅地図や道路地図であると、土地勘のない人が見るため、目的地を見つけることは大変であり且つ目的地まで行くルートを検討しなければならず、手間が掛っているのが現状である。従って、道や場所の問合せに対する接客は、特にコンビニエンスストアに於いて、客が少ない時には丁寧に対応出来るが、混雑している時に客から道を聞かれると、対応しきれないのが現状であった。尚、一般に道や場所が分からない時は、コンビニエンスストアや商店で聞けば良いと考える人が多いが、実際に対応できない場合も多くあった。
【０００４】
本発明は短時間で分り易いルート地図や目的地の詳細な地図或いは必要情報を有料で手に入れることが出来る案内地図に於ける目的地の抽出提示方法を提供することを目的とする。
【０００５】
【課題を解決するための手段】
本発明は上記現状に鑑みて成されたものであり、つまり、イ）コイン或いはカードなどにより、コンピューターの電源を入力する電源入力工程と、ロ）目的地の識別子の入力工程と、ハ）目的地までの地図を画面に抽出して表示するルート地図抽出工程と、ニ）目的地周辺の詳細な地図及び必要情報を画面に表示する周辺地図抽出工程と、ホ）プリントアウト工程とから少なくとも成す案内地図に於ける目的地の抽出提示方法とする。また前記目的地の識別子として目的地の名称，目的地の住所，目的地の電話番号，桜や仏像或いは神社などの検索用の観光案内語句等を用いると良く、ハ）ルート地図抽出工程によって抽出表示した地図には、目的地がマーキングされ、且つ現在位置から目的地までの最適ルートが線で表示されたり、その抽出表示した目的地をリンクさせると、その目的地を中心として拡大し周辺地図が得られ、且つ車用か歩行用を選択するためのチェックボックスを表示させたりすると良い。更にニ）周辺地図抽出工程によって抽出表示された周辺地図には、その目的地が遊園地や施設などであれば、その開館時間や料金或いは駐車場等の情報を画面の適宜箇所に表示するようにしたり、ハ）ルート地図抽出工程及びニ）周辺地図抽出工程によって抽出表示する地図には、コンビニエンスストア，ガソリンスタンド，ホテルなどの全国チェーン化された加盟店が表示されるようにすると良く、コンピューターの使用時間に制限を設け、その所定時間の制限を５分或いは１０分にすると良い。又、イ）電源入力工程に於いて、自由にＯＮ，ＯＦＦの操作が行えるものと成し、ヘ）プリントアウト工程に於いて、用紙販売機を並設させ、コイン或いはカードなどにより用紙を手に入れてからプリントアウトが行われるようにしても良い。尚、本発明で言う「検索用の観光案内語句」とは、目的地の固有名詞が分からなくとも例えば、桜の花が見たいのであれば、桜と入力することで桜の名所が表示されたり、有名な仏像がある寺院を訪れたい時には、仏像名或いは単に仏像と入力することで仏像を安置している寺院名が表示され、目的地の名称を直接に入力しなくても検索出来る語句を指す。
【０００６】
【発明の実施の形態】
図１は本発明方法の手順を示す図であり、これに基づいて説明する。先ず始めに図示しないコインボックスにコインを入れるか或いは専用カードを通過させることにより、コンピューターの電源が入力されて立ち上がり、イ）電源入力工程が完了する。この時、本発明で使用する装置としては、液晶画面などのディスプレイと、出し入れがキー操作による開閉式のＤＶＤドライブ或いはＣＤドライブと、Ｂ−５サイズのロール紙用を装着したカラープリンターと、カーナビ仕様のリモコンタイプや画面アイコン仕様のマウスタイプ或いはキーボード仕様の打込みタイプなど入力機と、タイマー付きのコインボックスなどとから構成し、一体で軽量コンパクトなサイズのものが好ましい。尚、前記装置は上記に限定されるものでなく、且つＢ−５サイズのロール紙以外の用紙を使用しても良い。
【０００７】
尚、前記ＤＶＤ或いはＣＤのソフトとしては、目的地の識別子が入力されることにより目的地を検索し且つ目的地までの地図を画面に抽出して表示するルート地図抽出機能と、その目的地をマーキングし且つ現在位置から目的地までの最適ルートを線で表示する機能と、ルート地図の画面には車用か歩行用を選択するためのチェックボックスを表示し且つその選択に沿ったルート地図を表示する機能と、目的地をリンクさせることにより前記目的地を中心として拡大する周辺地図が表示されたり或いはその目的地が遊園地や施設などの場合にはその開館時間，料金，駐車場等の情報を画面の適宜箇所に表示する機能等の各種機能が収納されている。また本発明で使用する地図としては、カーナビゲーションに表示されると同じようなものを用いると良く、且つその地図にはコンビニエンスストア，ガソリンスタンド，ホテルなどの全国チェーン化された加盟店が表示されたものを用いるのが好ましく、更に道路の片側通行や通行止めなどの道路情報が、ルート地図或いは周辺拡大地図を表示した画面上に表示される機能を有し、その道路情報の書換え機能も追加させておくことが好ましい。前記コインボックスとしては、百円などの硬貨又は専用のサービスコインを使用するタイプを用いると良いが、本発明で言う「コインボックス」には、コインを使用するタイプ以外に、専用サービスカード或いはクレジットカードを使用するタイプも含むものとする。
【０００８】
次に行きたい場所（目的地）をマウスタイプ或いはキーボードで入力すれば、ロ）入力工程が完了する。この時の目的地の識別子としては、目的地の名称，目的地の住所，目的地の電話番号などを入力するが、固有名詞が分からず漠然とした場合、例えば桜や紅葉を見たい時には、桜或いは紅葉と入力し、有名な仏像のある寺院や神社などへ行きたい時には、仏像或いは神社と入力すれば、現在地の周辺の観光名所などが検索され表示される。尚、前記識別子の入力は、音声入力で行っても良い。
【０００９】
目的地を入力した後、目的地までの地図が画面に抽出して表示される。この時、ハ）ルート地図抽出工程によって抽出表示した地図には、目的地がマーキングされ、且つ現在位置から目的地までの最適ルートを線で表示し、更に所要時間なども表示し、ハ）ルート地図抽出工程は完了する。尚、この時、最適ルート地図だけで良ければ、この画面をプリントアウトして本発明方法を終了させても良い。又、一般には車用の最適ルート地図が画面に抽出し表示されるが、歩行用の最適ルート地図が欲しい場合には、画面に表示されている歩行用のチェックボックスをマウスでクリックすると、車用の最適ルート地図が歩行用の最適ルート地図に画面が切換えられて表示される。
【００１０】
更に目的地の周辺の地図が欲しい場合には、目的地をマウスでクリックすると、目的地を中心として拡大する周辺地図が画面に表示される。この時、目的地が遊園地や施設などであれば、その目的地にリンクすることにより、開館時間，料金，駐車場等の情報が画面の適宜箇所に表示され、ニ）周辺地図抽出工程を完了するのである。
【００１１】
ニ）周辺地図抽出工程によって目的地周辺の詳細な地図及び必要情報を画面に表示した後、この画面をプリントアウトすればホ）プリントアウト工程が完了する。そして詳細な周辺地図を手に入れることが出来る。この時のコンピューター操作時間は５分間或いは１０分間とし、その時間のカウントはコインボックスにコインを投入した時点から行われる。尚、前記ハ）ルート地図抽出工程によって得られたルート地図だけで良い場合は、ニ）周辺地図抽出工程を行わず、ホ）プリントアウト工程に移れば、ルート地図が手に入る。このように本発明方法に於いては店員が対応せず、利用者が自由に目的地を検索して希望の地図を手に入れることが出来るのである。
【００１２】
次に図１の点線矢印のような手順になる場合について説明する。この場合は、イ）電源入力工程に於いて料金を徴収せず、自由にＯＮ，ＯＦＦの操作が誰でも行える方法と成し、前記ホ）プリントアウト工程に於いて、用紙販売機を並設させ、コイン或いは専用カードなどにより用紙を手に入れてからプリントアウトが行われる方法である。この時の料金徴収は、用紙販売機のコインボックスにコインなどを入れると良い。従って、用紙を１枚、例えば百円で販売し、その料金がコンピューターの使用料込みの値段となるのである。また予め並設させた用紙販売機はプリンターと連動している。
【００１３】
【実施例】
本発明方法の実施例について説明する。予め本発明で使用する装置をコンビニエンスストア，ガソリンスタンド，ホテル，商店，役所，交番，駅など人が集る場所や自動車の流れが多い場所に設置しておく。先ず始めに図示しないコインボックスに利用者が所定のコイン、例えば百円硬貨を入れると、コンピューターは立ち上がると共にタイマーもカウントを開始する。この時のタイマーとしては５分セットとする。次に利用者が目的地の名称を入力すると、画面にはカーナビゲーションで表示されるような地図が表われる。又、この画面には目的地が丸印或いは目立つ色でマーキングされており、且つ現在地から目的地までの最適ルートが線で表わされている。また予め入力された装置管理者側のデーターによって道路案内や所要時間も一緒に表わされるのである。利用者が画面を見て希望の地図であることが確認できれば、この画面をプリントアウトすることにより、最適ルートの地図を手に入れるだけでなく、道路事情や目的地までの所要時間もプリントアウトされるものとなる。この時、コンビニエンスストアは一般にルート沿いに設置されているため、そのコンビニエンスストアが目安となり、利用者にとっては道が分かり易い地図となる。一方、コンビニエンスストア側にとっては、宣伝材料となると共にその宣伝効果が期待できるものとなる。
【００１４】
利用者が最適ルートの地図でなく、目的地の周辺の詳細な地図や観光案内或いは目的地の情報などが欲しい場合には、ルート地図に表示された画面の目的地をマウスでクリックすれば、目的地の周囲が拡大された詳細な地図として画面に表示されると共にその画面には周辺の観光案内，目的施設や場所の開館時間，利用料金，駐車場などの情報が表示される。利用者が画面を見て希望の地図であることが確認できれば、この画面をプリントアウトすることにより、目的地の詳細な地図と共に周辺の観光案内，目的施設や場所の開館時間，利用料金，駐車場などの情報も手に入るのである。プリントアウトされた地図を持ち、随時地図を確認しながら自動車の運転を行ったり或いは歩行すれば、安心して短時間に目的地へ到達することが出来るものとなる。尚、ルート地図も一緒に欲しい場合には、ハ）ルート地図抽出工程まで後戻りし、ルート地図を画面に抽出表示させた状態からホ）プリントアウト工程に移れば良い。
【００１５】
【発明の効果】
本発明はこのようにさせたことにより、下記に記載する効果を有する。
【００１６】
請求項１のようにイ）コイン或いはカードなどにより、コンピューターの電源を入力する電源入力工程と、ロ）目的地の識別子の入力工程と、ハ）目的地までの地図を画面に抽出して表示するルート地図抽出工程と、ニ）目的地周辺の詳細な地図及び必要情報を画面に表示する周辺地図抽出工程と、ホ）プリントアウト工程とから少なくとも成す案内地図に於ける目的地の抽出提示方法とすることにより、利用者が所定金額支払えば、勝手に気兼ねせずに目的地までのルート地図や周辺地図の検索が行えると共にそれらの地図が短時間で手に入るため、短時間で的確に目的地へ到達することが可能となる。この時、従来の如きコンビニエンスストアや店舗などの店員に聞く煩わしさが利用者には不要となる。一方、店員側は不確実な情報や間違った道を教える恐れがなくなると共に特に店内が忙しい時には細かな説明をする必要がなくなるので、接客の合理化が図れると共に客のニーズに速やかに対応出来るものとなり、店舗のイメージ効果が上がり、しかも接客しなくても所定の料金を確実に徴収出来るものとなる。また本発明方法によって提供される案内地図は、住宅地図や道路地図と異なり、非常に見易く分かり易い地図と一緒に必要な情報も手に入るため、利用者にとっては充分に満足出来る便利な地図となり、系列のコンビニエンスストアが重宝され、集客効果の発揮が期待でき、本発明方法が利用できない他の系列の店舗と差別化を図るものとなる。
【００１７】
請求項２のように目的地の識別子として目的地の名称を打込めば、目的地が検索されて目的地の確認及び目的地までの地図を検索することが出来る。又、目的地の名称が不明な時には、目的地の住所や電話番号から目的地の地図を検索することができ、且つ桜や仏像或いは神社などの検索用の観光案内語句から桜の名所や神社或いは周辺の観光場所が検索出来るため、誰にでも希望の場所が見つけ易くなる。
【００１８】
請求項３に示すようにハ）ルート地図抽出工程によって抽出表示した地図に目的地がマーキングされることにより、目的地が明確になるため、方向や距離の目安が全体的に把握できるものとなる。また現在位置から目的地までの最適ルートが線で表示されることにより、極めて分かり易く見易いルート地図を手に入れることが可能となる。従って、より確実に且つ短時間で目的地まで到達することが可能となる。
【００１９】
請求項４に示すようにハ）ルート地図抽出工程によって抽出表示した地図の画面には、車用か歩行用を選択するためのチェックボックスが表示されることにより、特に歩行する際に便利なものとなるため、ウオーキングする人にとっては重宝な観光案内地図を得ることが可能となる。
【００２０】
請求項５のようにハ）ルート地図抽出工程によって抽出表示した目的地をリンクさせると、その目的地を中心として拡大する周辺地図が得られると共に目的地が画面の中央に来るため、目的地の駐車場の位置が分かり易くなると共に周辺の道路事情も分かり、安心して目的地まで行くことが出来る。
【００２１】
請求項６のようにニ）周辺地図抽出工程によって抽出表示された周辺地図には、その目的地が遊園地や施設などであれば、その開館時間や料金及び駐車場等の情報を画面の適宜箇所に表示させることにより、目的地の開館や閉館の状態や駐車場などの事情も分かるため、開館前に到着しそうであれば、目的地に向う途中で行先を変更したり、他を回って開館時間後に到着するように調節出来ると共に駐車場を探し回ることがなくなるため、時間を有効に使用することが可能となる。
【００２２】
請求項７に示すようにハ）ルート地図抽出工程及びニ）周辺地図抽出工程によって抽出表示する地図に、コンビニエンスストア，ガソリンスタンドなどの全国チェーン化された加盟店が表示されることにより、利用者にとってはルート地図上の加盟店が目安となって分かり易い地図となる。一方、地図に表示されたコンビニエンスストア，ガソリンスタンド，ホテルなどの加盟店側にとっては、宣伝材料となると共にその宣伝効果が期待できるものとなる。
【００２３】
請求項８に示すようにコンピューターの使用時間に制限を設け、その所定時間の制限を５分間とすれば、必要なルート地図又は周辺地図或いは両方の地図を得ることが可能であり、次の利用者の待ち時間が少なくて済むと共に料金を安く設定出来るものとなる。また１０分間とすれば、コンピューターに不慣れな人が使用しても、余裕を持って必要なルート地図や周辺地図が得られ、且つ１つの目的地だけでなく幾つもの目的地に対するルート地図や周辺地図が手に入るため、長期滞在するドライバーには便利なものとなる。
【００２４】
請求項９のようにイ）電源入力工程に於いて、自由にＯＮ，ＯＦＦの操作が行えるものと成し、ヘ）プリントアウト工程に於いて、用紙販売機を並設させ、コイン或いはカードなどで用紙を手に入れた後、プリントアウトが行われるようにすることにより、プリントアウトする枚数を制限することができるため、余分なプリントアウトが防止でき、且つ地図を手に入れる際には必ず料金の徴収が効率良く行えるものとなる。又、用紙の管理が容易となり、装置の維持管理が容易となる。更にコンピューターに不慣れな人が使用しても、必要なルート地図や周辺地図を必ず手に入れることが可能となる。
【図面の簡単な説明】
【図１】本発明方法の手順を示すブロック図である。
【図１】
2004178138.tif 000003